(57)【要約】      （修正有）【課題】腕帯、ポンプ及びリリーフ弁を設ける必要がなく、血圧を測定する操作が簡易となり、血圧を測定する正確度が良くなる血圧測定装置を提供する。【解決手段】聴診面１１と、聴診面１１と連接する握り部１２と、を備える本体１と、聴診面１１に対応するように設けられており、聴診面１１が人体の心臓に対応する位置に当てられたときに心拍音声信号を出力する音波取り込みモジュール２と、反射式光容積法を採用し、握り部１２に対応するように設けられており、握り部１２が人体の指に握られるときに少なくとも一つの血管圧力信号を出力する光学取り込みモジュール３と、本体１の内部に設けられており、音波取り込みモジュール２及び光学取り込みモジュール３と接続し、心拍音声信号と血管圧力信号を同時に接収して計算して、生体情報信号を出力する情報解析仕組みを有する信号処理モジュールとを、含む。【選択図】図１
0003197857.tif 000002
【実用新案登録請求の範囲】
【請求項１】
聴診面と、前記聴診面と連接する握り部と、を備える本体と、
前記聴診面に対応するように設けられており、前記聴診面が人体の心臓に対応する位置に当てられたときに心拍音声信号を出力する音波取り込みモジュールと、
反射式光容積法を採用し、前記握り部に対応するように設けられており、前記握り部が人体の手に握られるときに少なくとも一つの血管圧力信号を出力する光学取り込みモジュールと、
前記本体の内部に設けられており、前記音波取り込みモジュール及び前記光学取り込みモジュールと接続し、前記心拍音声信号と前記血管圧力信号を同時に接収して計算して、生体情報信号を出力する情報解析機能を有する信号処理モジュールと、
を含むことを特徴とする血圧測定装置。
【請求項２】
前記音波取り込みモジュールは、前記聴診面に対応するように設けられている音声振動フィルムと、前記音声振動フィルムと連接して前記心拍音声信号を出力する音声接収ユニットと、を含み、
前記光学取り込みモジュールは、人体の手に光線を射出する光発射ユニットと、前記手に反射される光線を接収して前記血管圧力信号を出力する光接収ユニットと、を含むこと
を特徴とする、請求項１に記載の血圧測定装置。
【請求項３】
前記信号処理モジュールは、前記情報解析機能で解析を行うための、信号同期ユニットと、信号ピーク値判断ユニットと、血圧見込みユニットと、を含むことを特徴とする、請求項１に記載の血圧測定装置。
【考案の詳細な説明】
【技術分野】
【０００１】
本考案は、血圧測定装置に関し、特に、腕帯を有しない血圧測定装置に関するものである。
【背景技術】
【０００２】
市販している手動ポンプ式血圧計は、被測定者の上腕部に、エアバッグを含む腕帯を巻付けて、操作者が手動でポンプを押圧して、前記ポンプが空気を前記エアバッグに供給して、前記エアバッグが膨張して被測定者の上腕部を加圧する。前記エアバッグが被測定者の上腕部の動脈を圧迫しているときには、当該上腕部の動脈を流れる血液が一時に停止される。次に、前記腕帯と連通するリリーフ弁をオープンして、前記バンドの内部の圧力が徐々に降下する。前記エアバッグの圧力が当該上腕部の動脈を阻止して発生する圧力よりも低くなると、当該上腕部の動脈内の血液が当該腕帯の圧迫位置から噴出して渦を形成して、Ｋ音（ｋｏｒｏｔｋｏｆｆ）という音波を発生する。このとき、操作者が聴診器によって一番目のＫ音を聞こえるときの水銀圧力計に示す圧力が収縮期血圧である。この後、前記エアバッグの空気が漏れ続く過程中に、Ｋ音が引き続き聞こえる。そして最後のＫ音を聞こえるときの水銀圧力計に示す圧力が拡張期血圧である。聴音式血圧計は、同じ概念を採用して、被測定者を測定して得られる脈波振幅を電圧信号に変換して、前記電圧信号を電圧基準と比較して、収縮期血圧及び拡張期血圧を推算する。
【０００３】
しかし、上記のような手動ポンプ式血圧計は、簡易に操作できず、健康管理スタッフや相当の訓練を受けたメンバーでなければ、正確な血圧値を測定することができない。科学技術の進展により、あるメーカが上記のような血圧計を電子式血圧計に改良した。このような電子式血圧は、圧力センサーによって上腕部又は腕の圧力を測定して、得られる複数の測定パラメータによって収縮期血圧と拡張期血圧を推算する。しかし、各被測定者の心臓の心拍特性が異なるため、これらの測定パラメータによって心臓の圧力が正常であるかどうかを推定することは、各被測定者の心臓の特性を確実に推測することができず、測定の正確度が良くないという問題がある。
【考案の概要】
【考案が解決しようとする課題】
【０００４】
本考案の目的は、血圧の測定が簡易となる血圧測定装置を提供することにある。
【課題を解決するための手段】
【０００５】
本考案の血圧測定装置によると、聴診面と、聴診面と連接する握り部と、を備える本体と、聴診面に対応するように設けられており、聴診面が人体の心臓に対応する位置に当てられたときに心拍音声信号を出力する音波取り込みモジュールと、反射式光容積法を採用し、握り部に対応するように設けられており、握り部が人体の手に握られるときに少なくとも一つの血管圧力信号を出力する光学取り込みモジュールと、本体の内部に設けられており、音波取り込みモジュール及び光学取り込みモジュールと接続し、心拍音声信号と血管圧力信号を同時に接収して計算して、生体パラメータ信号を出力する情報解析機能を有する信号処理モジュールと、含むことを特徴とする。
【０００６】
本考案の血圧測定装置によると、音波取り込みモジュールは、聴診面に対応するように設けられている音声振動フィルムと、音声振動フィルムと連接して心拍音声信号を出力する音声接収ユニットと、を含み、光学取り込みモジュールは、人体の手に光線を射出する光発射ユニットと、手に反射される光線を接収して血管圧力信号を出力する光接収ユニットと、を含むことを特徴とする。
【０００７】
本考案の血圧測定装置によると、信号処理モジュールは、情報解析機能で解析を行うための、信号同期ユニットと、信号ピーク値判断ユニットと、血圧見込みユニットと、を含むことを特徴とする。
【考案の効果】
【０００８】
本考案の血圧測定装置によれば、次のような効果がある。
（１）腕帯、ポンプ及びリリーフ弁を設ける必要がない。
（２）血圧を測定する操作が簡易となり、血圧を測定する正確度が良くなる。
【図面の簡単な説明】
【０００９】
【図１】本考案の一実施形態に係る血圧測定装置を示す外観図である。
【図２】本考案の一実施形態に係る血圧測定装置の構成を示すブロック図である。
【図３】本考案の一実施形態に係る血圧測定装置の使用状態を示す図である。
【考案を実施するための形態】
【００１０】
以下、本考案の実施の形態を図面に基づいて説明する。
【００１１】
図１から図３を参照する。図１は本考案の一実施形態に係る血圧測定装置を示す外観図であり、図２は本考案の一実施形態に係る血圧測定装置の構成を示すブロック図であり、図３は本考案の一実施形態に係る血圧測定装置の使用状態を示す図である。
【００１２】
本実施形態の血圧測定装置は、本体１と、音波取り込みモジュール２と、反射式光容積法を採用する光学取り込みモジュール３と、信号処理モジュール４と、から構成される。本体１は、聴診面１１と、聴診面１１と連接する握り部１２と、を備える。本体１の全体の外観は、図１に示した態様であり、人体の手が容易に握ることが可能な何れかの幾何形状を有するものであるが、もちろん、本考案はこれらに限定されない。
【００１３】
音波取り込みモジュール２は、聴診面１１に対応するように設けられている。音波取り込みモジュール２は、聴診面１１に対応するように設けられている音声振動フィルム２１と、音声振動フィルム２１と連接する音声接収ユニット２２と、を含む。音声振動フィルム２１は、聴診面１１に対応するように設けられており、聴診面１１が人体の心拍の音声（心音）を接収しているときに、音声振動フィルム２１が当該音声（心音）を電気信号に変換して音声接収ユニット２２に出力する。音声接収ユニット２２により、接収する前記電気信号が心拍音声信号Ｄ１に変換される。また、音声振動フィルム２１は音波センサーでもよい。音波取り込みモジュール２は、更に、第１アナログデジタル変換ユニット２３を有してもよい。第１アナログデジタル変換ユニット２３は、音声接収ユニット２２から出力する心拍音声信号Ｄ１をアナログ信号からデジタル信号に変換して、その後の編集処理で前記デジタル信号を利用可能である。一方、光学取り込みモジュール３は、握り部１２に対応するように設けられている。
【００１４】
光学取り込みモジュール３は、人体の指に光線を射出する光発射ユニット３１と、手（指）から反射される光線を接収して血管圧力信号Ｄ２を出力する光接収ユニット３２と、を含む。光発射ユニット３１から射出する光線は、特定の波長を有することが必要である。これにより、当該光線が人体の指の血管に吸収されず、血管に反射される。しかし、血管の脈動により、反射される光線の角度が変化するため、光接収ユニット３２が異なる入射角度の光線を接収することにより、血管圧力信号Ｄ２を生じる。光学取り込みモジュール３は、更に、第２アナログデジタル変換ユニット３３を有してもよい。第２アナログデジタル変換ユニット３３により、光接収ユニット３２から出力する血管圧力信号Ｄ２がアナログ信号からデジタル信号に変換される。また、信号処理モジュール４は本体１の内部に設けられている。すなわち、本体１の内部は、信号処理モジュール４を収容可能な十分な大きさを有する収容空間を持つ。
【００１５】
信号処理モジュールは、回路板上に設けられており、音波取り込みモジュール２及び光学取り込みモジュール３をそれぞれ電気的に接続する。信号処理モジュール４は、心拍音声信号Ｄ１と血管圧力信号Ｄ２とを同時に接収して計算して、生体パラメータ信号を出力する情報解析機能を有する。当該生体パラメータ信号は、少なくとも、心拍信号、パルス信号、血圧信号及び血液酸素信号のうちの一つである。また、信号処理モジュール４は、更に、情報解析機能で解析を行うための、信号同期ユニット４１と、信号ピーク値判断ユニット４２と、血圧見込みユニット４３と、を含む。信号同期ユニット４１が心拍音声信号Ｄ１と血管圧力信号Ｄ２を同期した後、信号ピーク値判断ユニット４２及び血圧見込みユニット４３により、同期された心拍音声信号Ｄ１と血管圧力信号Ｄ２が分析されて、生体パラメータ信号を得ることが可能である。信号処理モジュール４が適正に校正することにより、測定パラメータが各被測定者の生理特性に合うことが可能である。
【００１６】
一方、健康管理スタッフが被測定者を長時間に監視できるようにするために、本実施形態の血圧測定装置は、更に、信号処理モジュール４と電気的に接続して当該生体パラメータ信号を接収して、外部電子装置に信号を伝送する信号送信ユニット５を含む。
【００１７】
信号送信ユニット５は、無線通信ユニット、又は近接通信ユニットである。前記外部電子装置は、送信規格が信号送信ユニット５と同じである無線通信ユニットを有する。また、本実施形態の血圧測定装置は電力供給ユニット（図示せず）を含む。前記電力供給ユニットは、音波取り込みモジュール２、光学取り込みモジュール３、信号処理モジュール４及び信号送信ユニット５などに電力を供給する。
【００１８】
次に、図３を参照しながら本考案の使用状態を説明する。まず、被測定者は自己の人体の心臓の位置に本体１の聴診面１１を当てることにより、音波取り込みモジュール２が人体の心拍による音声（心音）を取り込んで心拍音声信号Ｄ１を出力することが可能である。一方、被測定者の人体の心臓の位置に本体１の聴診面１１を当てると同時に、被測定者の手が本体１の握り部１２を握って、握り部１２に設けられている光学取り込みモジュール３が当該手に光線を射出することにより、当該手の血管の脈動に従って前記光線が光学取り込みモジュール３に反射して、光学取り込みモジュール３が血管圧力信号Ｄ２を出力する。信号処理モジュール４は、被測定者の心拍音声信号Ｄ１と血管圧力信号Ｄ２を接収して判断及び分析を行って、被測定者の生体パラメータ信号を出力する。
【産業上の利用可能性】
【００１９】
本考案は、血圧測定装置に適用することができる。
【符号の説明】
【００２０】
１  本体
２  音波取り込みモジュール
３  光学取り込みモジュール
４  信号処理モジュール
５  信号送信ユニット
１１  聴診面
１２  握り部
２１  音声振動フィルム
２２  音声接収ユニット
２３  第１アナログデジタル変換ユニット
３１  光発射ユニット
３２  光接収ユニット
３３  第２アナログデジタル変換ユニット
４１  信号同期ユニット
４２  信号ピーク値判断ユニット
４３  血圧見込みユニット
Ｄ１  心拍音声信号
Ｄ２  血管圧力信号
【図１】
0003197857.tif 000003
【図２】
0003197857.tif 000004
【図３】
0003197857.tif 000005